(57)【要約】【課題】  収納すべきファイルの枚数が少ない場合でも収納されたファイルが湾曲することがなく、また、運搬や保管に支障がなく、さらには、廃棄にも問題がないファイルボックスを提供する。【解決手段】  ファイルボックスＡは、本体部１０と、仕切り部２００とを有し、本体部１０は、側面部２２，２４等と、底面部と、各側面部から連設されて折り返された内側片部とを有している。また、仕切り部２００は、本体部１０内に固定して設けられ、把手として機能させるための開口部２１２が設けられている。また、複数の内側片部のうちいくつかの内側片部には突出片部が設けられ、その突出片部は、仕切り部に設けられた切欠部や開口部に嵌合されていて、これにより、本体部１０と仕切り部２００とは確実に固定されるようになっている。【選択図】        図１
0003105241.tif 000002
【実用新案登録請求の範囲】
【請求項１】
ファイルボックスであって、
上面が開口したケース状を呈し、折り畳み可能な本体部と、
該本体部内に着脱自在に設けられる仕切り部で、折り畳み可能な仕切り部と、
を有することを特徴とするファイルボックス。
【請求項２】
ファイルボックスであって、
１枚の板状部材により形成された本体部で、
折り畳み可能に構成された底面部で、その外周が矩形状に形成された底面部と、
該底面部の外周から立設して形成された側面部と、
該側面部の端部から折れ線を介して連設され、側面部の内側に折り返した状態で設けられる内側片部で、少なくとも一部の内側片部には突出片部が設けられた内側片部と、を有し、折り畳み可能に形成された本体部と、
該本体部内に着脱自在に設けられ、１枚の板状部材により形成された仕切り部で、
折れ線を介して互いに平行に設けられた一対の仕切り本体部と、
各仕切り本体部の両側に折れ線を介して連設された突出部と、を有する仕切り部と、
を有することを特徴とするファイルボックス。
【請求項３】
上記仕切り部には、切欠部及び／又は開口部が設けられ、ファイルボックスの組立て状態においては、上記内側片部に設けられた突出片部が該切欠部及び／又は開口部に嵌合することを特徴とする請求項２に記載のファイルボックス。
【請求項４】
一部の内側片部が切欠部を有していて、ファイルボックスの組立て状態においては、該切欠部に他の内側片部の突出片部が嵌合することを特徴とする請求項２又は３に記載のファイルボックス。
【請求項５】
ファイルボックスであって、
１枚の板状部材により形成された本体部で、
方形状の角部を斜めに欠切した形状を呈する第１側面部と、
該第１側面部に折れ線を介して連設された第２側面部で、方形状を呈する第２側面部と、
該第２側面部に折れ線を介して連設された第３側面部で、方形状の角部を斜めに欠切した形状を呈する該第３側面部と、
該第３側面部に折れ線を介して連設された第４側面部で、方形状を呈する第４側面部と、
該第１側面部の上端に折れ線を介して連設された第１内側片部で、一対の突出片部が設けられた第１内側片部と、
該第１側面部の斜めに欠切されて形成された傾斜辺部に折れ線を介して連設された略三角形状の第２内側片部で、突出片部が設けられた第２内側片部と、
該第２側面部の上端に折れ線を介して連設された第３内側片部で、一対の突出片部が設けられた第３内側片部と、
該第３側面部の斜めに欠切されて形成された傾斜辺部に折れ線を介して連設された略三角形状の第４内側片部で、突出片部が設けられた第４内側片部と、
該第３側面部の上端に折れ線を介して連設された第５内側片部で、一対の突出片部が設けられた第５内側片部と、
該第４側面部の上端に折れ線を介して連設された第６内側片部で、第５内側片部の一方の突出片部が嵌合するための切欠部と、第１内側片部の一方の突出片部が嵌合するための切欠部を有する第６内側片部と、
該第１側面部の下端に折れ線を介して連設された第１底面構成部と、
該第２側面部の下端に折れ線を介して連設された第２底面構成部と、
該第３側面部の下端に折れ線を介して連設された第３底面構成部と、
該第４側面部の下端に折れ線を介して連設された第４底面構成部と、を有する本体部で、該第１側面部と第２側面部と第３側面部と第４側面部とで側面部を構成し、第１底面構成部と第２底面構成部と第３底面構成部と第４底面構成部とで底面部を構成し、上記４つの底面構成部のうち相対する底面構成部が折れ線を有し、該底面構成部における該折れ線により区画された一方の領域が隣接する底面構成部に接着されて、該底面部が折り畳み可能となっている本体部と、
該本体部内に着脱自在に設けられ、１枚の板状部材により形成された仕切り部で、
方形状を呈する第１仕切り本体部と、
該第１仕切り本体部に折れ線を介して連設された第２仕切り本体部と、
第１仕切り本体部の一方の側部に折れ線を介して連設された第１突出部で、第３内側片部の一方の突出片部が嵌合する切欠部が設けられた第１突出部と、
第１仕切り本体部の他方の側部に折れ線を介して連設された第２突出部で、第３内側片部の他方の突出片部が嵌合する切欠部が設けられた第２突出部と、
第２仕切り本体部の一方の側部に折れ線を介して連設された第３突出部と、
第２仕切り本体部の他方の側部に折れ線を介して連設された第４突出部と、を有する仕切り部で、第１仕切り本体部と第１突出部の境界位置に第４内側片部の突出片部が嵌合する開口部が設けられ、第１仕切り本体部と第２突出部の境界位置に第２内側片部の突出片部が嵌合する開口部が設けられ、第２仕切り本体部と第３突出部の境界位置に第５内側片部の他方の突出片部が嵌合する開口部が設けられ、第２仕切り本体部と第４突出部の境界位置に第１内側片部の他方の突出片部が嵌合する開口部が設けられている仕切り部と、
を有することを特徴とするファイルボックス。
【請求項６】
ファイルボックスであって、
１枚の板状部材により形成された本体部で、
方形状を呈する第１側面部と、
該第１側面部に折れ線を介して連設された第２側面部で、台形形状を呈する第２側面部と、
該第２側面部に折れ線を介して連設された第３側面部で、方形状を呈する該第３側面部と、
該第３側面部に折れ線を介して連設された第４側面部で、台形形状を呈する第４側面部と、
該第１側面部の上端に折れ線を介して連設された第１内側片部で、一対の突出片部が設けられた第１内側片部と、
該第１側面部の上端に折れ線を介して連設され、第１内側片部と隣接して設けられた第２内側片部で、一対の突出片部が設けられた第２内側片部と、
該第２側面部の上端に折れ線を介して連設された第３内側片部で、第２内側片部の一方の突出片部が嵌合する切欠部が設けられた第３内側片部と、
該第３側面部の上端に折れ線を介して連設された第４内側片部で、切込みと該切込みに連なる開口部が形成された第４内側片部と、
該第４側面部の上端に折れ線を介して連設された第５内側片部で、第１内側片部の一方の突出片部が嵌合する切欠部が設けられた第５内側片部と、
該第１側面部の下端に折れ線を介して連設された第１底面構成部と、
該第２側面部の下端に折れ線を介して連設された第２底面構成部と、
該第３側面部の下端に折れ線を介して連設された第３底面構成部と、
該第４側面部の下端に折れ線を介して連設された第４底面構成部と、を有する本体部で、該第１側面部と第２側面部と第３側面部と第４側面部とで側面部を構成し、第１底面構成部と第２底面構成部と第３底面構成部と第４底面構成部とで底面部を構成し、上記４つの底面構成部のうち相対する底面構成部が折れ線を有し、該底面構成部における該折れ線により区画された一方の領域が隣接する底面構成部に接着されて、該底面部が折り畳み可能となっている本体部と、
該本体部内に着脱自在に設けられ、１枚の板状部材により形成された仕切り部で、
台形形状を呈する第１仕切り本体部と、
該第１仕切り本体部に折れ線を介して連設された第２仕切り本体部と、
第１仕切り本体部の一方の側部に折れ線を介して連設された第１突出部と、
第１仕切り本体部の他方の側部に折れ線を介して連設された第２突出部と、
第２仕切り本体部の一方の側部に折れ線を介して連設された第３突出部と、
第２仕切り本体部の他方の側部に折れ線を介して連設された第４突出部と、を有する仕切り部で、第１仕切り本体部と第２突出部の境界位置に第２内側片部の他方の突出片部が嵌合する開口部が設けられ、第２仕切り本体部と第４突出部の境界位置に第１内側片部の他方の突出片部が嵌合する開口部が設けられている仕切り部と、
を有することを特徴とするファイルボックス。
【請求項７】
上記仕切り部における仕切り本体部には、把手として用いるための開口部が形成されていることを特徴とする請求項１又は２又は３又は４又は５又は６に記載のファイルボックス。
【請求項８】
上記本体部の側面に開口部が設けられ、仕切り部における該開口部の対応位置には、穴部が形成されていることを特徴とする請求項１又は２又は３又は４又は５又は６又は７に記載のファイルボックス。
【請求項９】
上記仕切り部において、仕切り本体部と突出部の境界位置を跨ぐように開口部が設けられ、この開口部によって上記穴部が形成されていることを特徴とする請求項８に記載のファイルボックス。
【考案の詳細な説明】
【技術分野】
【０００１】
本考案は、ファイルボックスに関するものである。
【背景技術】
【０００２】
従来のファイルボックスにおいては、上面が開口した箱状を呈したものが一般的である。このファイルボックスの材質としては、例えば、合成樹脂製のものがある。
【考案の開示】
【考案が解決しようとする課題】
【０００３】
しかし、単なる箱状のファイルボックスにおいては、収納するファイルの枚数が少ない場合には、ファイルボックスの中でファイルが湾曲してしまうという欠点があった。また、ファイルボックスが特に合成樹脂製の場合には、ファイルボックスの折りたたみができないため運搬や保管に支障があり、また、廃棄が容易でないという問題もあった。
【０００４】
そこで、本考案は、収納すべきファイルの枚数が少ない場合でも収納されたファイルが湾曲することがなく、また、運搬や保管に支障がなく、さらには、廃棄にも問題がないファイルボックスを提供することを目的とするものである。
【課題を解決するための手段】
【０００５】
本考案は上記問題点を解決するために創作されたものであって、第１には、ファイルボックスであって、上面が開口したケース状を呈し、折り畳み可能な本体部と、該本体部内に着脱自在に設けられる仕切り部で、折り畳み可能な仕切り部と、を有することを特徴とする。
【０００６】
この第１の構成のファイルボックスにおいては、仕切り部が本体部に対して着脱自在となっていて、本体部と仕切り部とが折り畳み可能となっているので、運搬や保管に際しては、仕切り部を本体部から外した状態として、本体部と仕切り部のそれぞれを折り畳んだ状態とすることにより省スペースを実現することができる。また、ファイルボックスには、仕切り部が設けられるので、本体部内の空間を仕切ることができ、収納するファイルの枚数が少ない場合でもファイルが湾曲することがない。
【０００７】
また、第２には、ファイルボックスであって、１枚の板状部材により形成された本体部で、折り畳み可能に構成された底面部で、その外周が矩形状に形成された底面部と、該底面部の外周から立設して形成された側面部と、該側面部の端部から折れ線を介して連設され、側面部の内側に折り返した状態で設けられる内側片部で、少なくとも一部の内側片部には突出片部が設けられた内側片部と、を有し、折り畳み可能に形成された本体部と、該本体部内に着脱自在に設けられ、１枚の板状部材により形成された仕切り部で、折れ線を介して互いに平行に設けられた一対の仕切り本体部と、各仕切り本体部の両側に折れ線を介して連設された突出部と、を有する仕切り部と、を有することを特徴とする。
【０００８】
この第２の構成のファイルボックスにおいては、仕切り部が本体部に対して着脱自在となっていて、本体部と仕切り部とが折り畳み可能となっているので、運搬や保管に際しては、仕切り部を本体部から外した状態として、本体部と仕切り部のそれぞれを折り畳んだ状態とすることにより省スペースを実現することができる。また、ファイルボックスには、仕切り部が設けられるので、本体部内の空間を仕切ることができ、収納するファイルの枚数が少ない場合でもファイルが湾曲することがない。また、内側片部のうち少なくとも一部の内側片部には突出片部が設けられているので、この突出片部を切欠部や開口部に嵌合させることにより仕切り部の本体部への取付け状態を確実にすることができる。
【０００９】
また、第３には、上記仕切り部には、切欠部及び／又は開口部が設けられ、ファイルボックスの組立て状態においては、上記内側片部に設けられた突出片部が該切欠部及び／又は開口部に嵌合することを特徴とする。これにより、仕切り部の本体部への取付け状態を確実にすることができる。
【００１０】
また、第４には、上記第２又は第３の構成において、一部の内側片部が切欠部を有していて、ファイルボックスの組立て状態においては、該切欠部に他の内側片部の突出片部が嵌合することを特徴とする。これにより、仕切り部の本体部への取付け状態を確実にすることができる。
【００１１】
また、第５には、ファイルボックスであって、１枚の板状部材により形成された本体部で、方形状の角部を斜めに欠切した形状を呈する第１側面部と、該第１側面部に折れ線を介して連設された第２側面部で、方形状を呈する第２側面部と、該第２側面部に折れ線を介して連設された第３側面部で、方形状の角部を斜めに欠切した形状を呈する該第３側面部と、該第３側面部に折れ線を介して連設された第４側面部で、方形状を呈する第４側面部と、該第１側面部の上端に折れ線を介して連設された第１内側片部で、一対の突出片部が設けられた第１内側片部と、該第１側面部の斜めに欠切されて形成された傾斜辺部に折れ線を介して連設された略三角形状の第２内側片部で、突出片部が設けられた第２内側片部と、該第２側面部の上端に折れ線を介して連設された第３内側片部で、一対の突出片部が設けられた第３内側片部と、該第３側面部の斜めに欠切されて形成された傾斜辺部に折れ線を介して連設された略三角形状の第４内側片部で、突出片部が設けられた第４内側片部と、該第３側面部の上端に折れ線を介して連設された第５内側片部で、一対の突出片部が設けられた第５内側片部と、該第４側面部の上端に折れ線を介して連設された第６内側片部で、第５内側片部の一方の突出片部が嵌合するための切欠部と、第１内側片部の一方の突出片部が嵌合するための切欠部を有する第６内側片部と、該第１側面部の下端に折れ線を介して連設された第１底面構成部と、該第２側面部の下端に折れ線を介して連設された第２底面構成部と、該第３側面部の下端に折れ線を介して連設された第３底面構成部と、該第４側面部の下端に折れ線を介して連設された第４底面構成部と、を有する本体部で、該第１側面部と第２側面部と第３側面部と第４側面部とで側面部を構成し、第１底面構成部と第２底面構成部と第３底面構成部と第４底面構成部とで底面部を構成し、上記４つの底面構成部のうち相対する底面構成部が折れ線を有し、該底面構成部における該折れ線により区画された一方の領域が隣接する底面構成部に接着されて、該底面部が折り畳み可能となっている本体部と、該本体部内に着脱自在に設けられ、１枚の板状部材により形成された仕切り部で、方形状を呈する第１仕切り本体部と、該第１仕切り本体部に折れ線を介して連設された第２仕切り本体部と、第１仕切り本体部の一方の側部に折れ線を介して連設された第１突出部で、第３内側片部の一方の突出片部が嵌合する切欠部が設けられた第１突出部と、第１仕切り本体部の他方の側部に折れ線を介して連設された第２突出部で、第３内側片部の他方の突出片部が嵌合する切欠部が設けられた第２突出部と、第２仕切り本体部の一方の側部に折れ線を介して連設された第３突出部と、第２仕切り本体部の他方の側部に折れ線を介して連設された第４突出部と、を有する仕切り部で、第１仕切り本体部と第１突出部の境界位置に第４内側片部の突出片部が嵌合する開口部が設けられ、第１仕切り本体部と第２突出部の境界位置に第２内側片部の突出片部が嵌合する開口部が設けられ、第２仕切り本体部と第３突出部の境界位置に第５内側片部の他方の突出片部が嵌合する開口部が設けられ、第２仕切り本体部と第４突出部の境界位置に第１内側片部の他方の突出片部が嵌合する開口部が設けられている仕切り部と、を有することを特徴とする。
【００１２】
この第５の構成のファイルボックスにおいては、仕切り部が本体部に対して着脱自在となっていて、本体部と仕切り部とが折り畳み可能となっているので、運搬や保管に際しては、仕切り部を本体部から外した状態として、本体部と仕切り部のそれぞれを折り畳んだ状態とすることにより省スペースを実現することができる。また、ファイルボックスには、仕切り部が設けられるので、本体部内の空間を仕切ることができ、収納するファイルの枚数が少ない場合でもファイルが湾曲することがない。また、上記各突出片部が、切欠部や開口部に嵌合させることにより、仕切り部の本体部への取付け状態を確実にすることができる。
【００１３】
また、第６には、ファイルボックスであって、１枚の板状部材により形成された本体部で、方形状を呈する第１側面部と、該第１側面部に折れ線を介して連設された第２側面部で、台形形状を呈する第２側面部と、該第２側面部に折れ線を介して連設された第３側面部で、方形状を呈する該第３側面部と、該第３側面部に折れ線を介して連設された第４側面部で、台形形状を呈する第４側面部と、該第１側面部の上端に折れ線を介して連設された第１内側片部で、一対の突出片部が設けられた第１内側片部と、該第１側面部の上端に折れ線を介して連設され、第１内側片部と隣接して設けられた第２内側片部で、一対の突出片部が設けられた第２内側片部と、該第２側面部の上端に折れ線を介して連設された第３内側片部で、第２内側片部の一方の突出片部が嵌合する切欠部が設けられた第３内側片部と、該第３側面部の上端に折れ線を介して連設された第４内側片部で、切込みと該切込みに連なる開口部が形成された第４内側片部と、該第４側面部の上端に折れ線を介して連設された第５内側片部で、第１内側片部の一方の突出片部が嵌合する切欠部が設けられた第５内側片部と、該第１側面部の下端に折れ線を介して連設された第１底面構成部と、該第２側面部の下端に折れ線を介して連設された第２底面構成部と、該第３側面部の下端に折れ線を介して連設された第３底面構成部と、該第４側面部の下端に折れ線を介して連設された第４底面構成部と、を有する本体部で、該第１側面部と第２側面部と第３側面部と第４側面部とで側面部を構成し、第１底面構成部と第２底面構成部と第３底面構成部と第４底面構成部とで底面部を構成し、上記４つの底面構成部のうち相対する底面構成部が折れ線を有し、該底面構成部における該折れ線により区画された一方の領域が隣接する底面構成部に接着されて、該底面部が折り畳み可能となっている本体部と、該本体部内に着脱自在に設けられ、１枚の板状部材により形成された仕切り部で、台形形状を呈する第１仕切り本体部と、該第１仕切り本体部に折れ線を介して連設された第２仕切り本体部と、第１仕切り本体部の一方の側部に折れ線を介して連設された第１突出部と、第１仕切り本体部の他方の側部に折れ線を介して連設された第２突出部と、第２仕切り本体部の一方の側部に折れ線を介して連設された第３突出部と、第２仕切り本体部の他方の側部に折れ線を介して連設された第４突出部と、を有する仕切り部で、第１仕切り本体部と第２突出部の境界位置に第２内側片部の他方の突出片部が嵌合する開口部が設けられ、第２仕切り本体部と第４突出部の境界位置に第１内側片部の他方の突出片部が嵌合する開口部が設けられている仕切り部と、を有することを特徴とする。
【００１４】
この第６の構成のファイルボックスにおいては、仕切り部が本体部に対して着脱自在となっていて、本体部と仕切り部とが折り畳み可能となっているので、運搬や保管に際しては、仕切り部を本体部から外した状態として、本体部と仕切り部のそれぞれを折り畳んだ状態とすることにより省スペースを実現することができる。また、ファイルボックスには、仕切り部が設けられるので、本体部内の空間を仕切ることができ、収納するファイルの枚数が少ない場合でもファイルが湾曲することがない。また、上記各突出片部が、切欠部や開口部に嵌合させることにより、仕切り部の本体部への取付け状態を確実にすることができる。
【００１５】
また、第７には、上記第１から第６までのいずれかの構成において、上記仕切り部における仕切り本体部には、把手として用いるための開口部が形成されていることを特徴とする。これにより、仕切り部を把手としても用いることが可能となる。
【００１６】
また、第８には、上記第１から第７までのいずれかの構成において、上記本体部の側面に開口部が設けられ、仕切り部における該開口部の対応位置には、穴部が形成されていることを特徴とする。これにより、ファイルボックスを引き出す場合に、開口部に指を掛止させて行なうことができる。
【００１７】
また、第９には、上記第８の構成において、上記仕切り部において、仕切り本体部と突出部の境界位置を跨ぐように開口部が設けられ、この開口部によって上記穴部が形成されていることを特徴とする。
【考案の効果】
【００１８】
本考案に基づくファイルボックスによれば、仕切り部が本体部に対して着脱自在となっていて、本体部と仕切り部とが折り畳み可能となっているので、運搬や保管に際しては、仕切り部を本体部から外した状態として、本体部と仕切り部のそれぞれを折り畳んだ状態とすることにより省スペースを実現することができる。また、ファイルボックスには、仕切り部が設けられるので、本体部内の空間を仕切ることができ、収納するファイルの枚数が少ない場合でもファイルが湾曲することがない。
【考案を実施するための最良の形態】
【００１９】
本考案においては、収納すべきファイルの枚数が少ない場合でも収納されたファイルが湾曲することがなく、また、運搬や保管に支障がなく、さらには、廃棄にも問題がないファイルボックスを提供するという目的を以下のようにして実現した。
【実施例１】
【００２０】
本考案に基づくファイルボックスＡは、図１〜図６に示されるように構成され、本体部１０と、仕切り部２００とを有している。
【００２１】
ここで、本体部１０について説明すると、本体部１０は、側面部２０と、内側片部４０、５０、６０、７０、８０、９０と、底面部１００とを有している。この本体部１０は、１枚の板状部材（具体的には、段ボール材等の紙材）から形成されていて、組み立てることによって形成される。
【００２２】
側面部２０は、側面部２２（第１側面部）と、側面部２４（第２側面部）と、側面部２６（第３側面部）と、側面部２８（第４側面部）と、糊代部３０とを有している。この側面部２２は、板状を呈し、縦長長方形状の上端の角部を斜めに欠切した形状を呈している。つまり、方形状と台形形状とを合わせた形状を呈している。この側面部２２の下側の中央部には開口部２２ａが形成されている。この開口部２２ａは、横長のトラック形状を呈している。また、側面部２４は、側面部２２の側辺（つまり、高さ方向（縦方向）の長さが短い方の側辺）から折れ線を介して連設されていて、横長の長方形状を呈している。この側面部２４の高さ方向の長さは、側面部２２の高さ方向の長さで短い方の長さと同一に形成されている。また、側面部２６は、側面部２４の側辺で側面部２２が連設されている側とは反対側の側辺から折れ線を介して連設されていて、上記側面部２２とは線対称の形状を呈している。すなわち、縦長長方形状の上端の角部を斜めに欠切した形状を呈している。この側面部２６の下側の中央部には開口部２６ａが形成されている。この開口部２６ａは、横長のトラック形状を呈している。この側面部２６の横方向の長さは、側面部２２の横方向の長さと同一に形成されている。また、側面部２８は、側面部２６の側辺で側面部２４が連設されている側とは反対側の側辺から折れ線を介して連設されていて、長方形状を呈している。つまり、側面部２８の高さ方向の長さは、側面部２２、２６の高さ方向の長さと同一であり、また、横方向の長さは、側面部２４と同一となっている。つまり、この側面部２８の横方向の長さは、側面部２４の横方向の長さと同一に形成されている。また、糊代部３０は、側面部２８の側辺に帯状に形成されている。なお、本体部１０を組み立てた状態では、糊代部３０は、側面部２２に接着された状態となる。
【００２３】
また、内側片部４０（第３内側片部）は、側面部２４の上端から折れ線を介して連設され、横長の長方形状の上端両側に矩形上の突出部を形成した形状を呈している。つまり、内側片部４０は、横長の長方形状を呈する第１片部４２と、同じく横長の長方形状を呈する第２片部４４と、第２片部４４の両側に突出して形成された突出片部４６ａ、４６ｂとを有している。この突出片部４６ａ、４６ｂは、矩形状、すなわち、縦長長方形状を呈している。この突出片部４６ａ、４６ｂは、組立て状態において仕切り部２００の切欠部２４２、２３２に嵌合するものである。
【００２４】
また、内側片部５０（第６内側片部）は、側面部２８の上端から折れ線を介して連設され、横長の長方形状の上端両側に矩形上の切欠部を形成した形状を呈している。つまり、内側片部５０は、横長の長方形状を呈する第１片部５２と、同じく横長の長方形状を呈する第２片部５４とを有し、第２片部５４の両側の角部には、縦方向に細長矩形状の切欠部５４ａ、５４ｂが設けられている。この切欠部５４ａには、組立て状態において、内側片部７０における突出片部７４ｂが嵌合し、また、切欠部５４ｂには、組立て状態において、内側片部６０における突出片部６４ａが嵌合する。
【００２５】
また、内側片部６０（第１内側片部）は、側面部２２の上端から折れ線を介して連設され、縦長の長方形状の上端両側に矩形上の突出部を形成した形状を呈している。つまり、内側片部６０は、縦長の長方形状を呈する本体部６２と、本体部６２の両側に突出して形成された突出片部６４ａ、６４ｂとを有している。この突出片部６４ａ、６４ｂは、矩形状、すなわち、縦長長方形状を呈している。この突出片部６４ａは、組立て状態において、内側片部５０における切欠部５４ｂに嵌合し、突出片部６４ｂは、組立て状態において、開口部２６４に嵌合する。
【００２６】
また、内側片部７０（第５内側片部）は、側面部２６の上端から折れ線を介して連設され、縦長の長方形状の上端両側に矩形上の突出部を形成した形状を呈している。つまり、内側片部７０は、縦長の長方形状を呈する本体部７２と、本体部７２の両側に突出して形成された突出片部７４ａ、７４ｂとを有している。この突出片部７４ａ、７４ｂは、矩形状、すなわち、縦長長方形状を呈している。この突出片部７４ａは、組立て状態において、開口部２５４に嵌合し、突出片部７４ｂは、組立て状態において、内側片部５０における切欠部５４ａに嵌合する。
【００２７】
また、内側片部８０（第２内側片部）は、側面部２２の傾斜辺部から折れ線を介して連設され、略三角形状を呈している。すなわち、側面部２２から折れ線を介して連設された本体部８２と本体部８２の上端に設けられた突出片部８４とを有している。この本体部８２は、直角三角形を呈し、また、突出片部８４は、矩形状、すなわち、横長の長方形状を呈している。この突出片部８４は、開口部２４６に嵌合する。
【００２８】
また、内側片部９０（第４内側片部）は、側面部２６の傾斜辺部から折れ線を介して連設され、内側片部８０に対して線対称の形状を呈している。すなわち、内側片部９０は、略三角形状を呈していて、側面部２６から折れ線を介して連設された本体部９２と本体部９２の上端に設けられた突出片部９４とを有している。この本体部９２は、直角三角形を呈し、また、突出片部９４は、矩形状、すなわち、横長の長方形状を呈している。この突出片部９４は、開口部２３６に嵌合する。
【００２９】
次に、底面部１００について説明する。底面部１００は、図２等に示すように、底面構成部１１０（第４底面構成部）と、底面構成部１２０（第２底面構成部）と、底面構成部１３０（第３底面構成部）と、底面構成部１４０（第１底面構成部）とを有している。
【００３０】
この底面構成部１１０は、側面部２８の下辺から折れ線を介して連設されていて、長方形状に切欠部１１２と切欠部１１４と切欠部１１６とを形成した形状を呈している。つまり、長方形状の右側に三角形状の切欠部１１２を形成し、下側に台形形状の切欠部１１４を形成し、左上側の角部に三角形状の切欠部１１６を形成した形状となっている。また、底面構成部１１０の左上側の角部から斜めに折れ線１１８が形成されている。そして、この折れ線１１８を介して端部領域１１９が形成される。つまり、底面構成部１１０において、折れ線１１８により区画された端部の領域が端部領域１１９となる。
【００３１】
また、底面構成部１２０は、側面部２４の下辺から折れ線を介して連設されていて、底面構成部１１０と同様の構成となっている。つまり、底面構成部１２０は、長方形状に切欠部１２２と切欠部１２４と切欠部１２６とを形成した形状を呈している。つまり、長方形状の右側に三角形状の切欠部１２２を形成し、下側に台形形状の切欠部１２４を形成し、左上側の角部に三角形状の切欠部１２６を形成した形状となっている。また、底面構成部１２０の左上側の角部から斜めに折れ線１２８が形成されている。そして、この折れ線１２８を介して端部領域１２９が形成される。つまり、底面構成部１２０において、折れ線１２８により区画された端部の領域が端部領域１２９となる。
【００３２】
また、底面構成部１３０は、側面部２６の下辺から折れ線を介して連設されていて、略山状を呈している。つまり、その一方には直線状に傾斜した傾斜辺を有し、他方は湾曲状に形成されている。また、底面構成部１４０は、側面部２２の下辺から折れ線を介して連設されていて、略山状を呈している。つまり、その一方には直線状に傾斜した傾斜辺を有し、他方は湾曲状に形成されている。
【００３３】
そして、本体部１０を組み立てた状態においては、図６に示すように、端部領域１１９の下側に底面構成部１３０が設けられ、端部領域１１９の上面と底面構成部１３０の下面とが接着された状態となっている。また、同様に、端部領域１２９の下側に底面構成部１４０が設けられ、端部領域１２９の上面と底面構成部１４０の下面とが接着された状態となっている。また、底面構成部１１０と底面構成部１２０とは互いに向き合った状態となっていて、底面構成部１１０の突出部分１１０ａは底面構成部１２０の上面に接した状態となっていて、底面構成部１２０の突出部分１２０ａは底面構成部１１０の上面に接した状態となっている。なお、図６は、本体部１０の底面を底面側から見た図であるので、図６に示された側が下面側となる。
【００３４】
底面部１００が上記のように構成されていることにより、本体部１０を折り畳んだ状態とした際に、底面部１００も折り畳んだ状態とすることができる。つまり、側面部２２、２６を側面部２４、２８に対して傾斜させることにより、折れ線１１８、１２８を介して底面部１００が折曲した状態となり、本体部１０全体を折り畳んだ状態とすることができる。
【００３５】
なお、図２は、本体部１０の展開状態を示すものであり、図２に示す面を本体部１０の外側としても内側としてもよいが、図６との関係では、図２に示す面は内側となる。
【００３６】
また、上記内側片部４０、５０、６０、７０、８０、９０は、側面部に対して折り返すことになるので、図２に示すように、二重の折れ線を介して連設されている。
【００３７】
次に、仕切り部２００について説明する。仕切り部２００は、仕切り本体部２１０、２２０と、突出部２３０、２４０、２５０、２６０を有している。この仕切り部２００は、１枚の板状部材（具体的には、段ボール材等の紙材）から形成されていて、組み立てることによって形成される。
【００３８】
ここで、仕切り本体部２１０（第１仕切り本体部）は、横長の長方形状を呈し、その上側の中央部には把手として機能するための開口部２１２が形成されている。また、仕切り本体部２１０の一方の側部には折れ線を介して突出部２３０（第１突出部）が形成されている。この突出部２３０は、縦長の長方形状の上端を斜めに欠切した形状を呈している。つまり、側面部２６に設けられた傾斜辺部に併せて突出部２３０にも傾斜辺部２３１が形成されている。また、この突出部２３０の側端には、矩形状の切欠部２３２が設けられている。また、仕切り本体部２１０の他方の側部には折れ線を介して突出部２４０（第２突出部）が形成されている。この突出部２４０は、縦長の長方形状の上端を斜めに欠切した形状を呈している。つまり、側面部２２に設けられた傾斜辺部に併せて突出部２４０にも傾斜辺部２４１が形成されている。また、この突出部２４０の側端には、矩形状の切欠部２４２が設けられている。また、仕切り本体部２１０と突出部２３０の境界位置の下側には、トラック形状の開口部２３４が設けられている。つまり、境界位置を跨ぐように開口部２３４が設けられている。この開口部２３４は、組立て状態において、本体部１０の開口部２６ａの位置に凹部を形成するためのものである。また、仕切り本体部２１０と突出部２４０の境界位置の下側には、トラック形状の開口部２４４が設けられている。つまり、境界位置を跨ぐように開口部２４４が設けられている。この開口部２４４は、組立て状態において、本体部１０の開口部２２ａの位置に凹部を形成するためのものである。さらに、仕切り本体部２１０と突出部２３０の境界位置の上側には、縦長状の長方形状の開口部２３６が形成されている。この開口部２３６は、組立て状態において、内側片部９０の突出片部９４が掛止するためのものである。また、仕切り本体部２１０と突出部２４０の境界位置の上側には、縦長状の長方形状の開口部２４６が形成されている。この開口部２４６は、組立て状態において、内側片部８０の突出片部８４が掛止するためのものである。
【００３９】
また、仕切り本体部２２０（第２仕切り本体部）は、横長の長方形状を呈している。また、仕切り本体部２２０の一方の側部には折れ線を介して突出部２５０（第３突出部）が形成されている。この突出部２５０は、縦長の長方形状の形状を呈している。この突出部２５０の高さ方向の長さは、仕切り本体部２２０の高さ方向の長さと同一である。また、仕切り本体部２２０の他方の側部には折れ線を介して突出部２６０（第４突出部）が形成されている。この突出部２６０は、縦長の長方形状の形状を呈している。この突出部２６０の高さ方向の長さは、仕切り本体部２２０の高さ方向の長さと同一である。また、仕切り本体部２２０と突出部２５０の境界位置の下側（図３では上側）には、トラック形状の開口部２５２が設けられている。つまり、境界位置を跨ぐように開口部２５２が設けられている。この開口部２５２は、組立て状態において、本体部１０の開口部２６ａの位置に凹部を形成するためのものである。また、仕切り本体部２２０と突出部２６０の境界位置の下側（図３では上側）には、トラック形状の開口部２６２が設けられている。つまり、境界位置を跨ぐように開口部２６２が設けられている。この開口部２６２は、組立て状態において、本体部１０の開口部２２ａの位置に凹部を形成するためのものである。さらに、仕切り本体部２２０と突出部２５０の境界位置の上側（図３では下側）には、縦長状の長方形状の開口部２５４が形成されている。この開口部２５４は、組立て状態において、内側片部７０の突出片部７４ａが掛止するためのものである。また、仕切り本体部２２０と突出部２６０の境界位置の上側には、縦長状の長方形状の開口部２６４が形成されている。この開口部２６４は、組立て状態において、内側片部６０の突出片部６４ｂが掛止するためのものである。
【００４０】
なお、仕切り部２００の大きさは、本体部１０内に丁度納まるものとなっている。つまり、仕切り部２００を組み立てた状態における横方向の長さ（図５におけるＸ方向の長さ）は、本体部１０の内部のＸ方向の長さと略同一（同一としてもよい）であり、また、仕切り部２００を組み立てた状態における他の横方向の長さ（図５におけるＹ方向の長さα）は、本体部１０の内部のＹ方向の長さと略同一（同一としてもよい）となっている。
【００４１】
上記構成のファイルボックスＡの使用状態について説明する。上記のように本体部１０を折り畳んだ状態とすることができ、また、仕切り部２００についても、突出部２３０、２４０、２５０、２６０を本体部２１０、２２０に対して平行な状態とすることにより、平らな状態とすることができるので、保管や運搬に際しては、本体部１０、仕切り部２００ともに扁平な状態とすることができ、省スペースを図ることができる。
【００４２】
次に、ファイルボックスＡを組み立てる場合には、まず、本体部１０を広げて立体的な状態とする。つまり、本体部１０を折り畳んだ状態では底面部１００が折り畳まれた状態となっているので、底面部１００を平面状に広げた状態として、図４に示すように本体部１０を広げた状態とする。
【００４３】
そして、本体部１０内の収納空間内に仕切り部２００を取り付けるわけであるが、その際、本体部１０の各内側片部４０、５０、６０、７０、８０、９０は、図４に示すように、仕切り部２００の挿入の邪魔にならないように外側に折り返した状態としておく。
【００４４】
そして、仕切り部２００における突出部２３０、２４０、２５０、２６０を、図５に示すように、本体部２１０、２１２に対して直角な方向に折曲した状態とした上で、仕切り部２００を本体部１０内に挿入する。
【００４５】
仕切り部２００の本体部１０内への挿入が完了したら、各内側片部を本体部１０の内側に折り込む。すなわち、内側片部４０を側面部２４の内側に向けて折り曲げて側面部２４と平行になるようにする。その際、内側片部４０には、第１片部４２と第２片部４４間に折れ線が設けられているので、側面部２４と仕切り部２００の本体部２１０間の距離が短くても内側片部４０の折曲げに支障となることがない。そして、内側片部４０に設けられた突出片部４６ａを仕切り部２００の切欠部２４２に嵌合させ、また、突出片部４６ｂを仕切り部２００の切欠部２３２に嵌合させる。
【００４６】
また、内側片部８０を側面部２２の内側に折曲するとともに、内側片部９０を側面部２６の内側に折曲する。そして、内側片部８０、９０に設けられた突出片部を仕切り部２００の開口部に押し込む。つまり、突出片部８２を開口部２４６に押し込み、突出片部９２を開口部２３６に押し込む。
【００４７】
また、内側片部５０を側面部２８の内側に向けて折り曲げて側面部２８と平行になるようにする。その際、内側片部５０には、第１片部５２と第２片部５４間に折れ線が設けられているので、側面部２８と仕切り部２００の本体部２２０間の距離が短くても内側片部５０の折曲げに支障となることがない。
【００４８】
この内側片部５０の折曲げが完了したら、今度は、内側片部６０、７０を本体部１０の内側に折り曲げる。つまり、内側片部６０を側面部２２に対して平行になるように折曲して、内側片部６０の突出片部６４ｂを仕切り部２００の開口部２６４に押し込み、突出片部６４ａを内側片部５０の切欠部５４ｂに押し込む。また、内側片部７０を側面部２６に対して平行になるように折曲して、内側片部７０の突出片部７４ａを仕切り部２００の開口部２５４に押し込み、突出片部７４ｂを内側片部５０の切欠部５４ａに押し込む。
【００４９】
以上のように、各突出片部を押し込むことにより、仕切り部２００を本体部１０内に確実に固定することが可能となる。
【００５０】
上記のように組み立てられたファイルボックスＡの使用状態としては、ファイルボックスＡ内に設けられた収納空間にファイルを収納して使用する。つまり、本体部１０は仕切り部２００を介して２つの収納空間が形成されているので、各収納空間にファイルを収納する。また、仕切り部２００には開口部２１２、２２２が設けられ、これによりファイルボックスＡに把手が形成されるので、この把手を用いて持ち運びすることが可能となる。特に、仕切り部２００は中央に位置するので、バランスよく持ち運ぶことができる。なお、上記のように、仕切り部２００は本体部１０に確実に固定されているので、仕切り部２００を把持して持ち運んでも本体部が脱落するおそれがない。
【００５１】
また、このファイルボックスＡを棚等に収納している状態でファイルボックスＡを引き出す場合には、ファイルボックスＡの両側の側方に開口部２２ａ、２６ａが設けられているので、これに指を掛止させて引き出せばよい。なお、仕切り部２００にも開口部２３４、２４４、２５２、２６２が設けられていて、これにより、開口部２２ａ、２２ａの奥側にも窪んだ状態に形成されているので、容易に指を掛止させることができる。
【００５２】
なお、上記のように組み立てたファイルボックスＡを分解するには、上記と逆の操作をすることにより本体部１０と仕切り部２００とに分解することが可能となる。
【００５３】
以上のように本実施例のファイルボックスＡによれば、仕切り部２００により収納空間が区画されているので、収納すべきファイルの枚数が少ない場合でも収納されたファイルが湾曲することがない。また、上記のように、本体部１０と仕切り部２００とを折り畳んだ状態とすることができるので、運搬や保管に際して省スペースを図ることができる。また、ファイルボックスＡは、紙材、特に、段ボール材により形成されているので、廃棄に際しても問題となることがない。
【実施例２】
【００５４】
本考案に基づくファイルボックスＢは、図７〜図１３に示されるように構成され、本体部３００と、仕切り部５００とを有している。
【００５５】
ここで、本体部３００について説明すると、本体部３００は、側面部３１０と、内側片部３３０、３４０、３５０、３６０、３７０、３８０、３９０、底面部４００とを有している。この本体部３００は、１枚の板状部材（具体的には、段ボール材等の紙材）から形成されていて、組み立てることによって形成される。本体部３００についての以下の説明においては、主として図９に従い説明する。
【００５６】
側面部３１０は、側面部３１２（第１側面部）と、側面部３１４（第２側面部）と、側面部３１６（第３側面部）と、側面部３１８（第４側面部）と、糊代部３２０とを有している。この側面部３１２は、板状を呈し、縦長長方形状を呈している。また、この側面部３１２の下側中央にはトラック状の開口部３１２ａが形成されている。また、側面部３１４は、側面部３１２の側辺から折れ線を介して連設されていて、縦長長方形状の一部を斜めに欠切した形状を呈している。つまり、方形状と台形形状とを合わせた形状を呈している。これにより、側面部３１４は、傾斜辺部３１４ａを有している。この側面部３１４の高さ方向の長さは、側面部３１２の高さ方向の長さと同一に形成されている。また、側面部３１６は、側面部３１４の側辺で側面部３１２が連設されている側とは反対側の側辺から折れ線を介して連設されていて、方形状を呈している。また、この側面部３１６の下側中央にはトラック状の開口部３１６ａが形成されている。この側面部３１６の高さ方向の長さは、側面部３１４における高さ方向の長さにおいて短い側の長さと同じ長さに形成されている。また、側面部３１６の横方向の長さは、側面部３１２の横方向の長さと同一に形成されている。また、側面部３１８は、側面部３１６の側辺で側面部３１４が連設されている側とは反対側の側辺から折れ線を介して連設されていて、上記側面部３１４とは線対称の形状を呈している。つまり、縦長長方形状の上端の角部を斜めに欠切した形状を呈していて、これにより、側面部３１８は、傾斜辺部３１８ａを有している。この側面部３１８の高さ方向の長さは、側面部３１２や側面部３１４の高さ方向の長さと同一に形成されている。また、糊代部３２０は、側面部３１８の側辺に帯状に形成されている。なお、本体部３００を組み立てた状態では、糊代部３２０は、側面部３１２に接着された状態となる。
【００５７】
また、内側片部３３０（第１内側片部）は、側面部３１２の上端から折れ線を介して連設され、縦長の長方形状の端部の一方に矩形上の突出部を形成した形状を呈している。つまり、内側片部３３０は、本体部３３２と、突出片部３３４とを有していて、本体部３３２は、縦長の長方形状を呈し、突出片部３３４も縦長の長方形状を呈している。この内側片部３３０は、全体に略Ｌ字状を呈しているといえる。この突出片部３３４は、切欠部３９０ａに嵌合するものである。また、内側片部３４０（第２内側片部）は、側面部３１２の上端から折れ線を介して連設され、縦長の長方形状の端部の一方に矩形上の突出部を形成した形状を呈している。つまり、内側片部３４０は、本体部３４２と、突出片部３４４とを有していて、本体部３４２は、縦長の長方形状を呈し、突出片部３４４も縦長の長方形状を呈している。この内側片部３４０は、全体に略Ｌ字状を呈しているといえる。この突出片部３４４は、切欠部３５０ａに嵌合するものである。なお、内側片部３３０と内側片部３４０は、ともに並んだ状態で側面部３１２の上端から連設されていて、内側片部３３０と内側片部３４０間には、切込み３４８と縦長長方形状の開口部３４９が設けられている。この内側片部３３０と内側片部３４０は、切込み３４８の位置を介して線対称に形成されている。このように切込み３４８と開口部３４９が設けられていることにより、内側片部３３０の内側片部３４０側にも突出片部３３６が形成され、また、内側片部３４０の内側片部３３０側にも突出片部３４６が形成されている。
【００５８】
また、内側片部３５０（第３内側片部）は、側面部３１４の上端から折れ線を介して連設されていて、台形形状に矩形状の切欠部を形成した形状を呈している。つまり、内側片部３５０は、その角部に切欠部３５０ａを有している。
【００５９】
また、内側片部３６０は、側面部３１４の傾斜辺部３１４ａから折れ線を介して連設されていて、略台形形状を呈している。
【００６０】
また、内側片部３７０（第４内側片部）は、側面部３１６から折れ線を介して連設されていて、略方形状を呈し、切込み３７０ａと開口部３７０ｂが設けられている。つまり、この内側片部３７０の端辺の中央位置からは切込み３７０ａが縦方向に形成されていて、この切込み３７０ａから開口部３７０ｂが連設されている。この開口部３７０ｂは、トラック状の開口部３７０ｃの上下方向に細長長方形状の開口部３７０ｄ、３７０ｅを連設したものである。特に、この開口部３７０ｃは、内側片部３７０を折り返した際に開口部３１６ａの位置に対応する位置に設けられている。また、この内側片部３７０の上端は、両側に突出した形状に形成されていて、これにより、内側片部３７０が本体部３００の内側に確実に固定されるようになっている。
【００６１】
また、内側片部３８０は、側面部３１８の傾斜辺部３１８ａから折れ線を介して連設されていて、略台形形状を呈している。
【００６２】
また、内側片部３９０（第５内側片部）は、側面部３１８の上端から折れ線を介して連設されていて、台形形状に矩形状の切欠部を形成した形状を呈している。つまり、内側片部３９０は、その角部に切欠部３９０ａを有している。
【００６３】
なお、上記内側片部３５０、３６０、３７０、３８０は、対応する各側面部の内側に折り返した状態として予め接着した状態としておく。
【００６４】
次に、底面部４００について説明する。底面部４００は、図９等に示すように、底面構成部４１０（第１底面構成部）と、底面構成部４２０（第２底面構成部）と、底面構成部４３０（第３底面構成部）と、底面構成部４４０（第４底面構成部）とを有している。
【００６５】
この底面構成部４１０は、側面部３１２の下辺から折れ線を介して連設されていて、台形形状の角部に切欠部を形成したような形状を呈している。そして、この底面構成部４１０は、切欠部の角部と底面構成部４１０の角部間に折れ線４１２を有している。そして、この折れ線４１２を介して区画された領域が端部領域４１４となる。
【００６６】
また、底面構成部４２０は、側面部３１４の下辺から折れ線を介して連設されていて、台形形状を呈している。また、この底面構成部４２０と側面部３１４間の折れ線の位置には、折れ線に沿って細長の開口部４２２が形成されている。この開口部４２２は、本体部３００を組み立てた際に、底面構成部４４０の突出片部４４２が挿入されるものである。
【００６７】
また、底面構成部４３０は、側面部３１６の下辺から折れ線を介して連設されていて、上記底面構成部４１０と同一の形状を呈している。つまり、台形形状の角部に切欠部を形成したような形状を呈している。そして、この底面構成部４３０は、切欠部の角部と底面構成部４３０の角部間に折れ線４３２を有している。そして、この折れ線４３２を介して区画された領域が端部領域４３４となる。
【００６８】
また、底面構成部４４０は、側面部３１８の下辺から折れ線を介して連設されていて、略台形形状を呈し、その端部には、突出片部４４２が設けられている。
【００６９】
そして、本体部３００を組み立てた状態では、図１３に示すように、底面構成部４１０の下側に底面構成部４２０が設けられ、端部領域４１４の上面と底面構成部４２０の下面とが接着された状態となっている。また、同様に、底面構成部４３０の下側に底面構成部４４０が設けられ、端部領域４３４の上面と底面構成部４４０の下面とが接着された状態となっている。また、底面構成部４４０は、底面構成部４２０よりも上面側となる。なお、図１３は、本体部３００の底面を底面側から見た図であるので、図１３に示された側が下面側となる。
【００７０】
底面部４００が上記のように構成されていることにより、本体部３００を折り畳んだ状態とした際に、底面部４００も折り畳んだ状態とすることができる。つまり、側面部３１２、３１６を側面部３１４、３１８に対して傾斜させることにより、折れ線４１２、４３２を介して底面部４００が折曲した状態となり、本体部３００全体を折り畳んだ状態とすることができる。
【００７１】
なお、図９は、本体部３００の展開状態を示すものであり、図９に示す面を本体部３００の外側としても内側としてもよいが、図１３との関係では、図９に示す面は内側となる。
【００７２】
また、上記内側片部３３０、３４０、３５０、３６０、３７０、３８０、３９０は、側面部に対して折り返すことになるので、図９に示すように、二重の折れ線を介して連設されている。
【００７３】
次に、仕切り部５００について説明する。仕切り部５００は、仕切り本体部５１０、５２０と、突出部５３０、５４０、５５０、５６０を有している。この仕切り部５００は、１枚の板状部材（具体的には、段ボール材等の紙材）から形成されていて、組み立てることによって形成される。
【００７４】
ここで、仕切り本体部５１０（第１仕切り本体部）は、台形形状を呈している。また、仕切り本体部５１０の一方の側部には折れ線を介して突出部５３０（第１突出部）が形成されている。この突出部５３０は、台形形状を呈している。この仕切り本体部５１０と突出部５３０の境界位置には、トラック形状の開口部５３２が形成され、また、該境界位置の下端には、細長形状の切欠部５３４が形成されている。特に、開口部５３２は、該境界位置を跨ぐように設けられている。また、仕切り本体部５１０の他方の側部には折れ線を介して突出部５５０（第２突出部）が形成されている。この突出部５５０は、縦長の長方形状を呈している。この仕切り本体部５１０と突出部５５０の境界位置の下部には、トラック形状の開口部５５２が形成されている。この開口部５５２は、該境界位置を跨ぐように設けられている。また、仕切り本体部５１０と突出部５５０の境界位置の上部には、折れ線に沿って細長長方形状の開口部５５４が形成されている。
【００７５】
また、仕切り本体部５２０（第２仕切り板部）は、台形形状を呈している。また、仕切り本体部５２０の一方の側部には折れ線を介して突出部５４０（第３突出部）が形成されている。この突出部５４０は、台形形状を呈している。この仕切り本体部５２０と突出部５４０の境界位置には、トラック形状の開口部５４２が形成され、また、該境界位置の下端には、細長形状の切欠部５４４が形成されている。特に、開口部５４２は、該境界位置を跨ぐように設けられている。なお、突出部５３０と突出部５４０間には、切欠部５３８が形成されている。また、仕切り本体部５２０の他方の側部には折れ線を介して突出部５６０（第４突出部）が形成されている。この突出部５６０は、縦長の長方形状を呈している。この仕切り本体部５２０と突出部５６０の境界位置には、トラック形状の開口部５６２が形成されている。この開口部５６２は、該境界位置を跨ぐように設けられている。また、仕切り本体部５２０と突出部５６０の境界位置の上部には、折れ線に沿って細長長方形状の開口部５６４が形成されている。
【００７６】
以上のように、仕切り本体部５２０と仕切り本体部５１０は線対称をなし、突出部５４０と突出部５３０は線対称をなし、突出部５６０と突出部５５０は線対称をなしている。
【００７７】
なお、仕切り部５００の大きさは、本体部３００内に丁度納まるものとなっている。つまり、仕切り部５００を組み立てた状態における横方向の長さ（図１２におけるＹ方向の長さ）は、本体部３００の内部のＹ方向の長さと略同一（同一としてもよい）であり、また、仕切り部５００を組み立てた状態における他の横方向の長さ（図１２におけるＸ方向の長さβ）は、本体部３００の内部のＸ方向の長さと略同一（同一としてもよい）となっている。
【００７８】
上記構成のファイルボックスＢの使用状態について説明する。上記のように本体部３００を折り畳んだ状態とすることができ、また、仕切り部５００についても、突出部５３０、５４０、５５０、５６０を本体部５１０、５２０に対して平行な状態とすることにより、平らな状態とすることができるので、保管や運搬に際しては、本体部３００、仕切り部５００ともに扁平な状態とすることができ、省スペースを図ることができる。なお、上記のように、糊代部３２０と、内側片部３５０、３６０、３７０、３８０と、底面部４００の一部は予め接着された状態となっている。
【００７９】
次に、ファイルボックスＢを組み立てる場合には、まず、本体部３００を広げて立体的な状態とする。つまり、本体部３００を折り畳んだ状態では底面部４００が折り畳まれた状態となっているので、底面部４００を平面状に広げた状態として、図１１に示すように本体部３００を広げた状態とする。
【００８０】
そして、本体部３００内の収納空間内に仕切り部５００を取り付けるわけであるが、その際、本体部３００の各内側片部３３０、３４０、３７０は、図１１に示すように、仕切り部５００の挿入の邪魔にならないように外側に折り返した状態としておく。
【００８１】
そして、仕切り部５００における突出部５３０、５４０、５５０、５６０を、図１２に示すように、仕切り本体部５１０、５２０に対して直角な方向に折曲した状態とした上で、仕切り部５００を本体部３００内に挿入する。
【００８２】
仕切り部５００の本体部３００内への挿入が完了したら、各内側片部を本体部３００の内側に折り込む。すなわち、内側片部３３０、３４０を側面部３１２の内側に向けて折り曲げて側面部３１２と平行になるようにする。そして、各内側片部３３０、３４０における突出片部をさらに折り曲げて切欠部に嵌合させる。つまり、内側片部３３０の突出片部３３４を内側片部３９０の切欠部３９０ａに嵌合させ、また、内側片部３４０の突出片部３４４を内側片部３５０の切欠部３５０ａに嵌合させる。また、内側片部３３０の突出片部３３６を仕切り部５００の開口部５６４に挿入させ、また、内側片部３４０の突出片部３４６を仕切り部５００の開口部５５４に挿入させる。
【００８３】
また、内側片部３７０を側面部３１６の内側に向けて折り曲げて側面部３１６と平行になるようにする。その際、仕切り部５００の仕切り本体部５１０、５２０が、内側片部３７０に設けられた切込み３７０ａや開口部３７０ｂに挿入するようにして、側面部３１６と内側片部３７０間に、突出部５３０、５４０が存在するようにする。なお、この内側片部３７０は、その端部の両側も突出した形状となっているので、本体部３００の内側に確実に掛止する。
【００８４】
以上のように、各突出片部を押し込むことにより、仕切り部５００を本体部３００内に確実に固定することが可能となる。
【００８５】
上記のように組み立てられたファイルボックスＢの使用状態としては、ファイルボックスＢ内に設けられた収納空間にファイルを収納して使用する。つまり、本体部３００は仕切り部５００を介して２つの収納空間が形成されているので、各収納空間にファイルを収納する。
【００８６】
また、このファイルボックスＢを棚等に収納している状態でファイルボックスＢを引き出す場合には、ファイルボックスＢの両側の側方に開口部３１２ａ、３１６ａが設けられているので、これに指を掛止させて引き出せばよい。なお、仕切り部５００にも開口部５３２、５４４、５５２、５６２が設けられていて、これにより、開口部３１２ａ、３１６ａの奥側にも窪んだ状態に形成されているので、容易に指を掛止させることができる。
【００８７】
なお、上記のように組み立てたファイルボックスＢを分解するには、上記と逆の操作をすることにより本体部３００と仕切り部５００とに分解することが可能となる。
【００８８】
以上のように本実施例のファイルボックスＢによれば、仕切り部５００により収納空間が区画されているので、収納すべきファイルの枚数が少ない場合でも収納されたファイルが湾曲することがない。また、上記のように、本体部３００と仕切り部５００とを折り畳んだ状態とすることができるので、運搬や保管に際して省スペースを図ることができる。また、ファイルボックスＢは、紙材、特に、段ボール材により形成されているので、廃棄に際しても問題となることがない。
【００８９】
なお、上記実施例２の変形例として、図１４、図１５に示すものとしてもよい。つまり、図１４に示す本体部３００’においては、内側片部３７０の構成が異なっていて、切込み３７０ａは図９に示す構成と同様であるが、開口部３７０ｆが縦長長方形状に形成されていて、トラック形状の開口部は形成されていない。同様に、図１５に示す仕切り部５００’においては、突出部５３０、５４０は三角形状に形成され、仕切り本体部５１０と突出部５３０間には切欠部５３４が形成され、また、仕切り本体部５２０と突出部５４０間には切欠部５４４が形成されている。そして、突出部５３０と突出部５４０間には、切込み５３９が形成されている。つまり、この図１５に示す構成の場合には、図１４に示す構成に合わせて仕切り本体部５１０と突出部５３０の境界位置及び仕切り本体部５２０と突出部５４０の境界位置に開口部が設けられていない。
【００９０】
以上の構成とすることにより、ファイルボックスにおいては、一方の側部のみに開口部が設けられることになる。
【００９１】
なお、図２、図３、図９、図１０、図１４、図１５の各展開図において、基本的に、一点鎖線が谷折りを示し、二点鎖線が山折りを示すものである。
【図面の簡単な説明】
【００９２】
【図１】本発明の実施例１のファイルボックスを示す斜視図である。
【図２】本発明の実施例１のファイルボックスにおける本体部を示す展開図である。
【図３】本発明の実施例１のファイルボックスにおける仕切り部を示す展開図である。
【図４】本発明の実施例１のファイルボックスにおける本体部を示す斜視図である。
【図５】本発明の実施例１のファイルボックスにおける仕切り部を示す斜視図である。
【図６】本発明の実施例１のファイルボックスの底面図である。
【図７】本発明の実施例２のファイルボックスを示す前方斜視図である。
【図８】本発明の実施例２のファイルボックスを示す後方斜視図である。
【図９】本発明の実施例２のファイルボックスにおける本体部を示す展開図である。
【図１０】本発明の実施例２のファイルボックスにおける仕切り部を示す展開図である。
【図１１】本発明の実施例２のファイルボックスにおける本体部を示す斜視図である。
【図１２】本発明の実施例２のファイルボックスにおける仕切り部を示す斜視図である。
【図１３】本発明の実施例２のファイルボックスの底面図である。
【図１４】実施例２における本体部の変形例を示す展開図である。
【図１５】実施例２における仕切り部の変形例を示す展開図である。
【符号の説明】
【００９３】
Ａ、Ｂ  ファイルボックス
２０、２２、２４、２６、２８、３１０、３１２、３１４、３１６、３１８  側面部
４０、５０、６０、７０、８０、９０、３３０、３４０、３５０、３６０、３７０、３８０  ３９０  内側片部
１００、４００  底面部
１１０、１２０、１３０、１４０、４１０、４２０、４３０、４４０  底面構成部
４６ａ、４６ｂ、６４ａ、６４ｂ  ７４ａ、７４ｂ、８４、９４、３３４、３４４  突出片部
５４ａ、５４ｂ、２３２、２４２、３５０ａ、３９０ａ  切欠部
【図１】
0003105241.tif 000003
【図２】
0003105241.tif 000004
【図３】
0003105241.tif 000005
【図４】
0003105241.tif 000006
【図５】
0003105241.tif 000007
【図６】
0003105241.tif 000008
【図７】
0003105241.tif 000009
【図８】
0003105241.tif 000010
【図９】
0003105241.tif 000011
【図１０】
0003105241.tif 000012
【図１１】
0003105241.tif 000013
【図１２】
0003105241.tif 000014
【図１３】
0003105241.tif 000015
【図１４】
0003105241.tif 000016
【図１５】
0003105241.tif 000017